(57)【要約】【課題】施工性を向上し得る引戸装置及び間仕切壁構造を提供する。【解決手段】間仕切壁３の厚さ方向一方側に沿うように配される戸パネル４０と、この戸パネルの上端側を戸幅方向に移動自在にガイドするガイド部材４１と、前記戸パネルの戸厚方向一方側に配される収納部材４８と、該収納部材の上端側を位置決めする収納位置決め部材４９と、を備えており、前記ガイド部材の戸厚方向両側には、天井７側に固定された状態で、前記間仕切壁と前記収納部材との間に開放状態の前記戸パネルを収容する収容空間３９が形成されるように、前記間仕切壁の上端部及び前記収納位置決め部材のそれぞれに当接される位置決め部４７，４７が設けられている。【選択図】図１
2020070587.tif 000002
【特許請求の範囲】
【請求項１】
間仕切壁の厚さ方向一方側に沿うように配される戸パネルと、この戸パネルの上端側を戸幅方向に移動自在にガイドするガイド部材と、前記戸パネルの戸厚方向一方側に配される収納部材と、該収納部材の上端側を位置決めする収納位置決め部材と、を備えており、
前記ガイド部材の戸厚方向両側には、天井側に固定された状態で、前記間仕切壁と前記収納部材との間に開放状態の前記戸パネルを収容する収容空間が形成されるように、前記間仕切壁の上端部及び前記収納位置決め部材のそれぞれに当接される位置決め部が設けられていることを特徴とする引戸装置。
【請求項２】
請求項１において、
前記ガイド部材は、前記戸パネルの上端側に設けられた被ガイド部をガイドする戸幅方向に長尺なレール部を備え、前記位置決め部は、このレール部の戸厚方向両側からの戸厚方向に沿う突出寸法が等しくなるように該レール部の戸厚方向両側から突出されていることを特徴とする引戸装置。
【請求項３】
請求項２において、
前記位置決め部は、前記レール部の全長に亘って設けられていることを特徴とする引戸装置。
【請求項４】
請求項１乃至３のいずれか１項において、
前記収納位置決め部材は、戸幅方向に長尺状とされ、下方側に向けて開口する受入溝を長手方向に延びるように設けたレール状部材と、前記収納部材の上端部に対して上下に昇降自在に設けられ、前記受入溝の溝底に突き当てられる突当部材と、を備えていることを特徴とする引戸装置。
【請求項５】
請求項４において、
前記突当部材は、前記受入溝の溝底に突き当てられた状態で、前記ガイド部材の位置決め部に当接される前記レール状部材の被当接部と前記収容空間の内側面を構成する前記収納部材の背面とが戸厚方向で一致した位置となるように設けられていることを特徴とする引戸装置。
【請求項６】
戸パネルの上端側を戸幅方向に移動自在にガイドするガイド部材の戸厚方向一方側に設けられた位置決め部と収納部材の上端側を位置決めする収納位置決め部材とが当接され、前記ガイド部材の戸厚方向他方側に設けられた位置決め部と間仕切壁の上端部とが当接された状態で、前記間仕切壁と前記収納部材との間に開放状態の前記戸パネルを収容する収容空間が形成されていることを特徴とする間仕切壁構造。
【発明の詳細な説明】
【技術分野】
【０００１】
本発明は、引戸装置及び間仕切壁構造に関する。
【背景技術】
【０００２】
従来より、間仕切壁に設けられた出入口を開閉する引戸を設けた間仕切壁構造が知られている。
例えば、下記特許文献１には、屋内開口部の側方の間仕切壁に、屋内開口部を開閉する引戸を収納する収納部を設けた収納式引戸が開示されている。
【先行技術文献】
【特許文献】
【０００３】
【特許文献１】実開昭６１−４１７８５号公報
【発明の概要】
【発明が解決しようとする課題】
【０００４】
しかしながら、上記特許文献１に記載されたような収納式引戸では、引戸を収納する収納部（戸袋）を構成するように、戸厚方向両側に壁下地や壁下地ボードを施工して戸袋壁を形成する必要があり、更なる改善が望まれる。
【０００５】
本発明は、上記実情に鑑みてなされたものであり、施工性を向上し得る引戸装置及び間仕切壁構造を提供する。
【課題を解決するための手段】
【０００６】
上記目的を達成するために、本発明に係る引戸装置は、間仕切壁の厚さ方向一方側に沿うように配される戸パネルと、この戸パネルの上端側を戸幅方向に移動自在にガイドするガイド部材と、前記戸パネルの戸厚方向一方側に配される収納部材と、該収納部材の上端側を位置決めする収納位置決め部材と、を備えており、前記ガイド部材の戸厚方向両側には、天井側に固定された状態で、前記間仕切壁と前記収納部材との間に開放状態の前記戸パネルを収容する収容空間が形成されるように、前記間仕切壁の上端部及び前記収納位置決め部材のそれぞれに当接される位置決め部が設けられていることを特徴とする。
【０００７】
また、上記目的を達成するために、本発明に係る間仕切壁構造は、戸パネルの上端側を戸幅方向に移動自在にガイドするガイド部材の戸厚方向一方側に設けられた位置決め部と収納部材の上端側を位置決めする収納位置決め部材とが当接され、前記ガイド部材の戸厚方向他方側に設けられた位置決め部と間仕切壁の上端部とが当接された状態で、前記間仕切壁と前記収納部材との間に開放状態の前記戸パネルを収容する収容空間が形成されていることを特徴とする。
【発明の効果】
【０００８】
本発明に係る引戸装置及び間仕切壁構造は、上述のような構成としたことで、施工性を向上させることができる。
【図面の簡単な説明】
【０００９】
【図１】本発明の一実施形態に係る引戸装置の一例及びこれを用いた間仕切壁構造の一例を模式的に示す概略平面図である。
【図２】図１におけるＸ１−Ｘ１線矢視に対応させた一部破断概略縦断面図である。
【図３】（ａ）は、図１におけるＸ２−Ｘ２線矢視に対応させた一部破断概略縦断面図、（ｂ）は、図１におけるＸ３−Ｘ３線矢視に対応させた一部破断概略縦断面図である。
【図４】（ａ）は、同間仕切壁構造を構成する間仕切壁の一例を模式的に示す概略斜視図、（ｂ）は、同間仕切壁の概略分解斜視図である。
【図５】（ａ）は、同間仕切壁が備える壁下地ユニットの一例を模式的に示す一部破断概略正面図、（ｂ）は、（ａ）におけるＹ１−Ｙ１線矢視に対応させた一部破断概略縦断面図、（ｃ）は、（ａ）におけるＹ２−Ｙ２線矢視に対応させた一部破断概略縦断面図である。
【発明を実施するための形態】
【００１０】
以下に本発明の実施の形態について、図面に基づいて説明する。
なお、一部の図では、他図に付している詳細な符号の一部を省略している。
また、以下の実施形態では、引戸装置を設置した状態を基準として、上下方向等の方向を説明する。
【００１１】
図１〜図５は、本実施形態に係る引戸装置及びこれを用いた間仕切壁構造の一例を模式的に示す図である。
本実施形態に係る引戸装置４は、図１〜図３に示すように、間仕切壁３の厚さ方向一方側に沿うように配される戸パネル４０を備えている。本実施形態では、この引戸装置４と、間仕切壁３を構成する壁下地ユニット１２を有した壁下地装置２と、によって間仕切壁装置１を構成している。なお、引戸装置４及びこれを用いた間仕切壁構造の具体的構成については後述する。
【００１２】
この間仕切壁装置１の施工対象となる建物としては、戸建住宅や集合住宅等の住宅に限られず、商業施設や公共施設等の建物であってもよい。また、この間仕切壁装置１は、種々の箇所に設置可能である。図例では、互いに交差する躯体壁８とによって２つの個室を区画するように間仕切壁装置１を設けた例を示している。また、互いに交差する躯体壁８の入隅側の個室に、ベッドと収納部材４８を構成する収納付机とを設置し、この入隅側の個室に隣接する個室に、３つの収納部材４８，４８，４８を設置した例を示している。
また、この間仕切壁装置１の天井７側（上端側）の当接対象は、天井下地でもよいが、本実施形態では、天井下地に固定された天井材によって構成される天井７としている。この間仕切壁装置１の天井７側の固定対象は、天井下地でもよく、天井材でもよい。
また、この間仕切壁装置１の床６側（下端側）の固定対象は、床下地でもよく、床下地に固定され床６を構成する床材でもよい。
【００１３】
壁下地装置２の壁下地ユニット１２の上端部には、図３（ａ）に示すように、壁幅方向の全長に亘って上方側に向けて開口する配線溝２１が設けられている。また、壁下地装置２は、図３（ｂ）に示すように、間仕切壁３の壁幅方向一方側に設けられる出入口５の天面側を区画し、かつ壁下地ユニット１２の配線溝２１に連通される上方側に向けて開口する配線溝３１が全長に亘って設けられた出入口上端部材３０を備えている。この壁下地装置２を用いた壁下地構造は、上端部に配線溝２１が設けられた壁下地ユニット１２の壁幅方向一方側に、この配線溝２１に連通される配線溝３１が設けられた出入口上端部材３０が配された構造とされている。また、同壁下地構造は、壁下地ユニット１２及び出入口上端部材３０の配線溝２１，３１に、ケーブル９が配線された構造とされている。
【００１４】
上記のような構成とすれば、天井裏や壁下地に施工現場において加工を施して配線する必要がある構造と比べて、配線作業性を向上させることができる。また、スイッチ（操作盤）３８やコンセント（差込接続器）３７（図２参照）などの配線器具を移設や増設する際にも容易に対応することができる。また、間仕切りしようとする部分の全長に亘る長さとされた配線用部材を設ける場合と比べて、取扱性及び施工性を向上させることができる。また、配線溝２１，３１が上方側に向けて開口されているので、例えば、横向きに開口する配線樋部を設けたものと比べて、ケーブル９を見栄え良く納めることができ、また、壁厚方向に沿う寸法の小型化を効果的に図ることができる。なお、上記壁下地構造は、壁下地装置２を構成する部材のうちの少なくとも一部が施工現場等において手配されて構築されたものでもよい。
【００１５】
また、本実施形態では、壁下地ユニット１２の上端部及び出入口上端部材３０に、壁厚方向に間隔を空けて複数本の配線溝２１，２１，３１，３１を設けた構成としている。このような構成とすれば、複数本の配線溝２１，２１，３１，３１のそれぞれにケーブル９，９を収容させることができる。これにより、例えば、強電ケーブル（各種電源ケーブル）９と弱電ケーブル（ＬＡＮケーブルや光ファイバー、電話回線、テレビ回線等の通信線）９とを異なる配線溝２１，３１に収容して分離配線することができる。この結果、弱電ケーブル９が強電ケーブル９から受ける電磁的影響を抑制することができる。
【００１６】
壁下地ユニット１２は、壁厚方向両側に面材１１，１１が固定されて間仕切壁３を構成する。本実施形態では、図１及び図４に示すように、間仕切壁３は、複数の壁下地ユニット１２のそれぞれの壁厚方向両側に面材１１，１１が固定されて形成される複数の間仕切パネル１０によって構築されている。これら面材１１，１１は、略矩形平板状とされている。この面材１１の壁幅方向に沿う寸法は、取扱性や施工性等の観点から適宜の寸法とされたものでもよく、図例では、壁下地ユニット１２の壁幅方向に沿う寸法と略同寸法とした例を示している。この面材１１の壁幅方向に沿う寸法は、例えば、６００ｍｍ〜１５００ｍｍ程度としてもよい。この面材１１の上下寸法は、床６から天井７までの天井高に応じた寸法とされている。この面材１１の厚さ寸法は、一般的な壁下地ボードと同程度の厚さ寸法とされたものでもよい。
【００１７】
また、この面材１１には、図２及び図４（ｂ）に示すように、スイッチ３８やコンセント３７に応じた位置となるように、開口１１ｂが設けられている。図４（ｂ）では、コンセント３７に応じた位置となるように、面材１１の比較的に低い位置に開口１１ｂを設けた例を示している。なお、この面材１１の表面に、壁クロス（壁紙）等の化粧シートを貼着するようにしてもよい。また、壁下地ユニット１２の壁厚方向両側の面材１１，１１のうちの少なくとも一方が壁下地ユニット１２に対して着脱自在に取り付けられる態様としてもよい。また、壁厚方向両側の面材１１，１１は、施工現場において壁下地ユニット１２に固定されるものでもよく、少なくとも一方が壁下地ユニット１２に予め固定されたものでもよい。また、面材１１は、一般的な壁下地ボード、例えば、石膏ボード（プラスターボード）でもよく、インシュレーションボードやＭＤＦ（中密度繊維板）、ハードボード等の木質繊維板、木質積層板等の木質系ボードでもよい。また、面材１１としては、このような石膏ボードや木質系ボードに限られず、例えば、０．５ｍｍ〜１．５ｍｍ程度の比較的に薄い鉄板等の金属板でもよい。面材１１としては、上記した例に限られず、その他、種々の構成とされたものの採用が可能である。また、面材１１は、間仕切壁装置１が備えるものでもよく、適宜、現場手配されるものでもよい。
【００１８】
壁下地ユニット１２は、天井７側に配される上横桟２０と、床６側に配される下横桟１３と、壁幅方向両側に配される縦桟１４，１４と、を有した略矩形枠状とされている。
上横桟２０は、図３（ａ）及び図５に示すように、厚さ方向を上下方向に沿わせて配される略帯板状とされている。壁下地ユニット１２の上端部の配線溝２１は、この上横桟２０に設けられている。本実施形態では、この上横桟２０の壁厚方向両側のそれぞれに配線溝２１，２１を設けた構成としている。つまり、上横桟２０に、２本の配線溝２１，２１を設けている。これら配線溝２１，２１は、上横桟２０の壁厚方向中央側に設けられた中央側突部２０ａと、上横桟２０の壁厚方向両側端に設けられた溝側壁部２０ｄ，２０ｄと、によって溝幅方向両側が区画されている。図例では、これら配線溝２１，２１を、溝長手方向に見て略方形溝状とした例を示している。これら配線溝２１，２１の溝幅及び溝深さは、各種のケーブル９の収容が可能なように、また、上横桟２０の強度低下を抑制する観点や軽量化を図る観点等から適宜の寸法とすればよい。
【００１９】
また、上横桟２０に、配線溝２１，２１の溝底側を貫通するように配線挿通孔２０ｅ，２０ｅを設けた構成としている。このような構成とすれば、配線挿通孔２０ｅ，２０ｅを介して壁幅方向に延びる配線溝２１，２１と壁下地ユニット１２内とを連通させることができ、ケーブル９の配線性を向上させることができる。この配線挿通孔２０ｅ，２０ｅは、図５（ａ）に示すように、縦桟１４の内側面に沿うように配線されるケーブル９の挿通が可能なように、平面視して縦桟１４の壁幅方向中心側に隣接して設けられている。なお、平面視して両側の縦桟１４，１４の壁幅方向中心側に隣接した位置となるように上横桟２０の長手方向両端部のそれぞれに配線挿通孔２０ｅ，２０ｅを設けた構成としてもよい。
下横桟１３は、図４（ｂ）に示すように、厚さ方向を上下方向に沿わせて配される略帯板状とされている。本実施形態では、この下横桟１３を、上横桟２０を概ね上下反転させたような形状としている。また、この下横桟１３と上横桟２０とを略同寸同形状とした例を示している。つまり、この下横桟１３には、下方側に向けて開口する上記同様の配線溝や配線溝の溝底を貫通する配線挿通孔が設けられている。
【００２０】
両側の縦桟１４，１４は、上下に延びる略四角柱状とされている。本実施形態では、これら両側の縦桟１４，１４と上下の横桟２０，１３とを、横勝状に接合した構成としている。つまり、上横桟２０の両端部下面に各縦桟１４，１４の上端面を当接させ、下横桟１３の両端部上面に各縦桟１４，１４の下端面を当接させて、これら両側の縦桟１４，１４と上下の横桟２０，１３とを接合している。なお、これら両側の縦桟１４，１４と上下の横桟２０，１３とは、ねじ等の止具や接着剤を用いて接合されたものでもよい。また、上記のような態様に代えて、両側の縦桟１４，１４と上下の横桟２０，１３とを、縦勝状に接合した構成としてもよい。この場合は、両側の縦桟１４，１４の上端部に配線溝２１，２１を設けた態様としてもよい。
【００２１】
また、本実施形態では、一方の縦桟１４の内側面に、ケーブル９を受け入れる受部材１５を取り付けた構成としている。この受部材１５としては、上記した２本の配線溝２１，２１に対応させて、壁幅方向中心側に向けて開口する２本の受入溝が縦桟１４の長手方向に延びるように設けられたものでもよい。なお、両側の縦桟１４，１４に受部材１５を設けた構成としてもよく、このような受部材１５に代えて、または加えて、ケーブル９を保持するクリップ状の保持部を設けた構成としてもよい。
また、一方の縦桟１４の内側面に、配線器具を構成するコンセントボックス１６を取り付けた構成としている。なお、縦桟１４の内側面に、このようなコンセントボックス１６に代えて、または加えてスイッチボックスを取り付けた構成としてもよい。
【００２２】
また、本実施形態では、これら両側の縦桟１４，１４間に、上下に延びる略四角柱状とされた中間縦桟１７を設けた構成としている。この中間縦桟１７は、当該壁下地ユニット１２の壁幅方向略中央部に位置するように設けられている。中間縦桟１７から一方の縦桟１４までの寸法（ピッチ）は、一般的な間柱（スタッド）を設けるピッチと同程度の寸法としてもよく、例えば、３００ｍｍ〜６００ｍｍ程度としてもよい。この中間縦桟１７の上下端部は、上下の横桟２０，１３に接合されている。この中間縦桟１７の上下端部と上下の横桟２０，１３とは、ねじ等の止具や接着剤を用いて接合されたものでもよい。
【００２３】
また、本実施形態では、壁下地ユニット１２に、上下の横桟２０，１３間に配される中間横桟１８を設けた構成としている。また、この中間横桟１８と縦桟１４との接合部に、上下方向両側に開口しかつ少なくとも壁厚方向一方側に開口する配線受入溝を区画する接合金具１９を設けた構成としている。また、両側の縦桟１４，１４と中間縦桟１７との間のそれぞれに中間横桟１８，１８を設けた構成としている。また、これら両側の中間横桟１８，１８の両端部のそれぞれに接合金具１９，１９，１９，１９を設けた構成としている。なお、中間横桟１８，１８と縦桟１４及び中間縦桟１７とを上記のような接合金具１９によって接合する態様に代えて、種々の態様によって接合するようにしてもよい。
【００２４】
この壁下地ユニット１２の上下の横桟２０，１３、両側の縦桟１４，１４、中間縦桟１７及び中間横桟１８，１８は、壁厚方向両面が互いに略同一平面状となるように壁厚方向に沿う寸法が互いに略同寸法とされている。
なお、これら上下の横桟２０，１３、両側の縦桟１４，１４、中間縦桟１７及び中間横桟１８，１８は、金属系材料や木質系材料から形成されたものでもよく、適宜の複合材料から形成されたものでもよい。また、例えば、両側の縦桟１４，１４、中間縦桟１７及び中間横桟１８を木質系材料から形成されたものとし、上下の横桟２０，１３を金属系材料から形成されたものとしてもよい。
【００２５】
また、本実施形態では、図３（ｂ）に示すように、この壁下地ユニット１２の上端部に、天井７側の固定対象としてのレール状部材２９に向けて突出し、レール状部材２９に固定される被固定部を構成する固定突当部材２７を設けた構成としている。また、この固定突当部材２７を、配線溝２１を区画する溝側壁部２０ｄ（図５（ｃ）参照）とレール状部材２９との間に配線挿入空間が形成されるように設けた構成としている。このような構成とすれば、壁下地ユニット１２の上端部の固定突当部材２７を天井７側のレール状部材２９に固定して壁下地ユニット１２を設置した状態で、配線挿入空間を介して配線溝２１にケーブル９を配線することができる。これにより、壁下地ユニット１２の上端部に配線した状態で壁下地ユニット１２を施工する必要があるようなものと比べて、配線作業性を向上させることができる。また、配線挿入空間や固定突当部材２７を覆うように、壁下地ユニット１２の壁厚方向両側に面材１１，１１を固定すれば、すっきりとした外観を呈することができる。また、施工後にスイッチ３８やコンセント３７などの配線器具を移設や増設する必要が生じた場合にも、より容易に対応することができる。
【００２６】
つまり、本実施形態では、上横桟２０とレール状部材２９との間に配線挿入空間が形成されるように、壁下地ユニット１２の上下寸法（高さ寸法）を天井高よりも小さくした構成としている。これら上横桟２０とレール状部材２９との間に形成される配線挿入空間の上下方向に沿う寸法は、少なくともケーブル９の挿入が可能な寸法であればよく、また、手指の挿入が可能な寸法としてもよい。
レール状部材２９は、図１に示すように、壁幅方向に長尺状とされ、壁下地ユニット１２の上端側を位置決めする位置決め部材を構成する。また、レール状部材２９は、図３に示すように、下方側に向けて開口する受入溝２９ｄを長手方向に延びるように設けた構成とされている。このレール状部材２９は、受入溝２９ｄの溝底を構成する溝底壁部２９ａと、この溝底壁部２９ａの壁厚方向一方側から下方側に向けて突出する第１溝壁部２９ｂと、溝底壁部２９ａの壁厚方向他方側から下方側に向けて突出する第２溝壁部２９ｃと、を備えている。
溝底壁部２９ａには、当該レール状部材２９を固定対象としての天井下地に固定するねじや釘等の止具が挿通される挿通孔が設けられている（図１参照）。
【００２７】
第１溝壁部２９ｂ及び第２溝壁部２９ｃは、受入溝２９ｄの溝幅方向両側を区画し、壁厚方向（溝幅方向）に互いに間隔を空けて略平行状に配されている。本実施形態では、第１溝壁部２９ｂの溝底壁部２９ａからの突出寸法を、第２溝壁部２９ｃの溝底壁部２９ａからの突出寸法よりも小としている。これら第１溝壁部２９ｂ及び第２溝壁部２９ｃの突出寸法は、後記する各突当部材２２，２７の差込性や抜止性の観点等から適宜の寸法としてもよい。
このレール状部材２９の壁厚方向に沿う寸法（幅寸法）は、壁下地ユニット１２の壁厚方向に沿う寸法以下の寸法とされている。本実施形態では、レール状部材２９の壁厚方向に沿う寸法を、壁下地ユニット１２の壁厚方向に沿う寸法と略同寸法としている。このような構成とすれば、上横桟２０の上方側に形成される配線挿入空間を覆うように設けられる壁厚方向両側の面材１１，１１の上端部１１ａ，１１ａを、レール状部材２９の両側の溝壁部２９ｂ，２９ｃに当接または近接させることができる。
このレール状部材２９の長さ寸法は、壁下地ユニット１２の壁幅方向に沿う寸法と概ね同寸法としてもよく、壁下地ユニット１２の壁幅方向に沿う寸法を整数倍したような寸法としてもよい。なお、このレール状部材２９は、木質系材料や合成樹脂系材料、金属系材料から形成されたものでもよい。
【００２８】
固定突当部材２７は、壁下地ユニット１２の上横桟２０に対して上下に昇降自在に設けられ、レール状部材２９の受入溝２９ｄの溝底を構成する溝底壁部２９ａに突き当てられる構成とされている。このような構成とすれば、長尺状のレール状部材２９の受入溝２９ｄの溝底壁部２９ａに固定突当部材２７を突き当てることで、壁下地ユニット１２の上端側をレール状部材２９に対して固定することができる。また、固定突当部材２７が上下に昇降自在とされているので、レール状部材２９に対して降下させた状態で、レール状部材２９に対する固定及び取り外しを容易に行うことができる。また、天井７側や床６側の不陸等に応じて天井７側の横桟の高さや水平度、縦桟の長さを施工現場において微調整する必要性を低減することができ、施工性を向上させることができる。
【００２９】
また、本実施形態では、図５（ｃ）に示すように、固定突当部材２７は、上横桟２０に設けられた雌ねじ孔２０ｃにねじ合わされる雄ねじ部２７ａを有し、ねじ操作によって上下に進退される構成とされている。
この固定突当部材２７は、上横桟２０に設けられた雌ねじ孔２０ｃに上下に変位自在にねじ合わされた雄ねじ部２７ａと、この雄ねじ部２７ａの上端部に設けられ、溝底壁部２９ａに突き当てられる突当部２７ｂと、を備えている。上横桟２０の雌ねじ孔２０ｃは、上記した中央側突部２０ａを上下に貫通するように設けられている。
雄ねじ部２７ａには、中央側突部２０ａの上面に当接されるナット２８がねじ合わされている。
【００３０】
突当部２７ｂは、雄ねじ部２７ａの上端部から径方向に突出した鍔状とされ、雄ねじ部２７ａよりも大径状とされている。この突当部２７ｂの径は、レール状部材２９の受入溝２９ｄの溝幅に応じた寸法とされている。この突当部２７ｂの径は、レール状部材２９の受入溝２９ｄの溝幅と略同寸法または溝幅よりも僅かに小さい寸法とされている。図例では、この突当部２７ｂの上端周縁部に、Ｃ面取状の面取部を設けた例を示している。また、図例では、この突当部２７ｂを平面視して略円形状とした例を示しているが、略多角形状とされたものでもよい。
また、本実施形態では、壁下地ユニット１２に、複数の固定突当部材２７，２７を設けた構成としている。図例では、上横桟２０の壁幅方向（長手方向）両端側部位のそれぞれに固定突当部材２７，２７を設けた例を示している。これら固定突当部材２７，２７は、互いに同様の構成とされている。
【００３１】
また、本実施形態では、図５（ａ）、（ｂ）に示すように、上横桟２０に対して上方側に向けて突出するように付勢部材２６によって付勢され、レール状部材２９の受入溝２９ｄの溝底壁部２９ａに突き当てられる付勢突当部材２２を設けた構成としている。このような構成とすれば、付勢部材２６の付勢に抗して付勢突当部材２２を壁下地ユニット１２の上端側に対して降下させた状態で、レール状部材２９の受入溝２９ｄに差し入れることができる。これにより、壁下地ユニット１２の上端側をレール状部材２９に対して容易に仮保持させることができ、また、天井７側や床６側に不陸等があるような場合にも、容易に対応することができる。
この付勢突当部材２２は、上横桟２０の中央側突部２０ａを上下に貫通するように設けられた保持孔２０ｂに上下に変位自在に挿通された被保持部２４と、この被保持部２４の上端部に設けられ、溝底壁部２９ａに突き当てられる突当部２３と、を備えている。
【００３２】
被保持部２４は、上下方向に軸方向を沿わせて配される棒状とされ、本実施形態では、抜止部としてのナット２５がねじ合わされた雄ねじ部とされている。ナット２５は、被保持部２４の上横桟２０を貫通して下方側に露出する部位にねじ合わされている。上横桟２０の保持孔２０ｂの内径は、被保持部２４の外径よりも僅かに大径状とされている。
付勢部材２６は、突当部２３を上方側に向けて付勢する構成とされている。本実施形態では、この付勢部材２６を、突当部２３と中央側突部２０ａとの間に位置し、かつ被保持部２４が挿通された圧縮コイルばねとしている。つまり、突当部２３は、中央側突部２０ａに下端が当接された付勢部材２６によって押し上げられるように付勢されている。また、上記したナット２５が上横桟２０の下面に当接することで、被保持部２４の上方側への移動が規制され抜け止めがなされる。なお、付勢部材２６としては、このような態様とされたものに限られず、例えば、上端が上横桟２０の下面側に固定され、下端に固定されたナット２５を引っ張るように付勢する引張コイルばねとしてもよく、その他、種々の構成とされたものでもよい。
【００３３】
突当部２３は、本実施形態では、壁幅方向に長尺状とされている。また、この突当部２３を、それぞれに付勢部材２６，２６によって付勢された複数の被保持部２４，２４に架け渡すように設けた構成としている。このような構成とすれば、レール状部材２９の受入溝２９ｄに安定的に仮保持させることができ、また、独立的に複数の付勢突当部材２２を設けたものと比べて、受入溝２９ｄへの差込性を向上させることができる。図例では、上横桟２０の壁幅方向（長手方向）中央側部位に、中央部から略等間隔を空けて被保持部２４，２４を設け、これら２本の被保持部２４，２４の上端部に突当部２３を固定した例を示している。
この突当部２３の壁厚方向に沿う幅寸法は、レール状部材２９の受入溝２９ｄの溝幅に応じた寸法とされている。この突当部２３の幅寸法は、レール状部材２９の受入溝２９ｄの溝幅と略同寸法または溝幅よりも僅かに小さい寸法とされている。また、図例では、この突当部２３の壁厚方向両側の上端縁部に、Ｃ面取状の面取部を設けた例を示している。
【００３４】
上記のような構成とされた壁下地ユニット１２は、以下のようにして設置するようにしてもよい。まず、天井７側の適所にレール状部材２９を固定する。そして、このレール状部材２９の受入溝２９ｄに、壁下地ユニット１２の付勢突当部材２２の突当部２３を差し入れて上端側を仮保持させた状態で、下端側の下横桟１３を、ねじ等によって床６側の固定対象に固定するようにしてもよい。このように壁下地ユニット１２の上端側を仮保持させる際には、固定突当部材２７，２７を上横桟２０に対して降下させた状態で、壁下地ユニット１２を斜め状にし、付勢突当部材２２の突当部２３を受入溝２９ｄに差し入れるようにしてもよい。
そして、固定突当部材２７，２７を、上横桟２０に対して上昇させて突当部２７ｂ，２７ｂをレール状部材２９の溝底壁部２９ａに突き当てる。また、ナット２８を雄ねじ部２７ａに対して降下させて中央側突部２０ａの上面に当接させて壁下地ユニット１２の上端側をレール状部材２９に対して固定するようにしてもよい。
【００３５】
上記のように壁下地ユニット１２が設置された状態では、上横桟２０の両側の溝側壁部２０ｄ，２０ｄと、これらに上下方向に対向するように配されるレール状部材２９の両側の溝壁部２９ｂ，２９ｃと、の間に配線挿入空間が形成される。この配線挿入空間及びレール状部材２９の壁厚方向両側を含み、壁下地ユニット１２の壁厚方向両側を覆うように、面材１１，１１を固定し、間仕切壁３を構築するようにしてもよい。これら面材１１，１１は、ねじや釘、ステイプル等の適宜の止具によって壁下地ユニット１２に固定するようにしてもよい。また、面材１１，１１の表面に適宜、化粧シートを貼着するようにしてもよい。また、間仕切壁３（間仕切パネル１０）の交差部等において壁下地ユニット１２の壁幅方向一方側端面が露出する場合には、該端面を覆う適宜の端面カバーを設けた構成としてもよい。なお、上記設置手順は、一例に過ぎず、種々の変形が可能である。
また、壁下地ユニット１２の上端側を位置決めし、固定する態様としては、上記のようなレール状部材２９並びに付勢突当部材２２及び固定突当部材２７を設けた態様に限られず、その他、種々の変形が可能である。
【００３６】
出入口上端部材３０は、図１に示すように、壁幅方向に長尺状とされている。この出入口上端部材３０は、長手方向一方側端面が上記した壁下地ユニット１２の上横桟２０の長手方向一方側端面に突き合わせられる構成とされている。この出入口上端部材３０は、壁幅方向に離間して配される壁下地ユニット１２，１２の上横桟２０，２０の互いに向き合う端面に長手方向両端面のそれぞれが突き合わせられるものでもよい。また、この出入口上端部材３０は、一方側端面が壁下地ユニット１２の上横桟２０の一方側端面に突き合わせられ、他方側端面が壁厚方向を当該出入口上端部材３０の長手方向に沿わせて配される間仕切壁３の壁厚方向一方側面に突き合わせられるものでもよい。この場合は、この間仕切壁３の壁下地ユニット１２の配線溝２１に当該出入口上端部材３０の配線溝３１が連通するように、この間仕切壁３の面材１１に切欠状の凹所を設けた構成としてもよい。
【００３７】
この出入口上端部材３０は、図３（ｂ）に示すように、配線溝３１の溝底側を区画し、出入口５の天面を構成する溝底壁部３４と、配線溝３１の壁厚方向（配線溝３１の溝幅方向）両側を区画する両側の溝側壁部３２，３２と、を備えている。また、本実施形態では、この出入口上端部材３０の両側の溝側壁部３２，３２の上端面３２ａ，３２ａを、互いに同一平面状とし、かつ天井７側の当接対象としての天井７に当接される構成としている。このような構成とすれば、配線溝３１を区画する出入口上端部材３０の両側の溝側壁部３２，３２と天井７との間に隙間が形成され難くなり、見栄えを向上させることができる。つまり、天井７に当接させて出入口上端部材３０を施工した状態では、配線溝３１が露出することがないので見栄えを向上させることができる。また、出入口上端部材３０の両側に配される壁下地ユニット１２，１２の配線溝２１，２１に架け渡されるように配線されたケーブル９の架け渡された部位を受け入れるようにして出入口上端部材３０を施工するようなこともでき、施工性を向上させることができる。
【００３８】
また、本実施形態では、この出入口上端部材３０の壁厚方向に沿う幅寸法（見込寸法）を、壁下地ユニット１２の壁厚方向両側に面材１１，１１が固定されて構成される間仕切壁３の壁厚以下としている。このような構成とすれば、出入口５の天面側を構成する出入口上端部材３０が隣接する間仕切壁３の表面から突出するようなことがなく、すっきりとした外観を呈することができる。本実施形態では、この出入口上端部材３０の幅寸法を間仕切壁３の壁厚と略同寸法としている。このような構成とすれば、互いの壁厚方向両面を略同一平面状にすることができ、よりすっきりとした外観を呈することができる。つまり、間仕切壁３の壁厚方向一方側面と出入口上端部材３０の壁厚方向一方側面とを略同一平面状にし、間仕切壁３の壁厚方向他方側面と出入口上端部材３０の壁厚方向他方側面とを略同一平面状にすることができる。
【００３９】
また、本実施形態では、出入口上端部材３０の両側の溝側壁部３２，３２間に、これらの間を複数に区画して複数本の配線溝３１，３１を形成する区画壁部３３を設けた構成としている。この区画壁部３３は、壁厚方向に厚さ方向を沿わせた板状とされ、溝底壁部３４から上方側に向けて立ち上がるように設けられている。図例では、一つの区画壁部３３を壁厚方向の略中央部に設けた構成としている。また、この区画壁部３３の両側に設けられた配線溝３１，３１の溝幅及び溝深さを、上記した上横桟２０の配線溝２１，２１の溝幅及び溝深さよりも大としている。この区画壁部３３は、出入口上端部材３０の長手方向に延びるように概ね全長に亘って設けられたものでもよい。
また、この区画壁部３３の立上寸法（上下方向に沿う寸法）は、溝側壁部３２，３２の上下方向に沿う寸法以下としてもよく、図例では、溝側壁部３２，３２の上下方向に沿う寸法よりも小とした例を示している。また、図例では、この区画壁部３３の厚さ寸法を、溝側壁部３２，３２の壁厚方向に沿う厚さ寸法よりも小とした例を示している。
【００４０】
これら溝側壁部３２，３２及び区画壁部３３の厚さ寸法並びに溝底壁部３４の上下方向に沿う厚さ寸法は、当該出入口上端部材３０の強度上の観点や軽量化を図る観点等から適宜の寸法としてもよい。図例では、溝側壁部３２，３２及び溝底壁部３４の厚さ寸法を互いに略同寸法とし、また、面材１１の厚さ寸法と略同寸法とした例を示している。このような構成とすれば、上記したレール状部材２９を溝側壁部３２，３２間に受け入れて設置するようなこともできる。
また、本実施形態では、図２に示すように、この出入口上端部材３０に、給電を要する機器３５を設けた構成としている。図例では、溝底壁部３４に埋込状に機器３５を設けた例を示している。このような機器３５としては、いわゆるダウンライトなどの照明器具や、各種センサーなどでもよい。本実施形態によれば、このような機器３５に接続されるケーブル９を出入口上端部材３０の配線溝３１に配線することができるので、機器３５の施工性や配線作業性を向上させることができる。
【００４１】
この出入口上端部材３０の上下方向に沿う寸法は、出入口５の開口高を大きくする観点や軽量化を図る観点、配線作業性の観点等から適宜の寸法としてもよい。図例では、出入口上端部材３０の上下方向に沿う寸法を、設置された状態で下面が上横桟２０の下面と概ね同一平面状となるような寸法とした例を示している。なお、この出入口上端部材３０の上下方向に沿う寸法は、設置された状態で下面が後記する戸パネル４０の上端面よりも下方側となるような寸法としてもよい。
また、この出入口上端部材３０の長さ寸法は、出入口５の開口幅に応じて適宜の寸法としてもよい。
また、この出入口上端部材３０は、ねじ等の止具や接着剤、粘着材等によって天井７側の固定対象に固定されるものでもよい。
【００４２】
また、本実施形態では、図２に示すように、出入口５の開口幅方向両側を区画する縦枠３６，３６を設けた構成としている。これら縦枠３６，３６は、出入口上端部材３０の長手方向両側に設けられる間仕切壁３，３に沿うように、かつ上下方向に延びるように設けられる。また、本実施形態では、これら両側の縦枠３６，３６と出入口上端部材３０とを横勝状に接合した構成としている。つまり、出入口上端部材３０の両端部下面に各縦枠３６，３６の上端面を当接させて、これら両側の縦枠３６，３６と出入口上端部材３０とを接合している。上記した出入口上端部材３０は、その長手方向の各端部が両側の縦枠３６，３６に保持されて設置されるものでもよい。
【００４３】
また、本実施形態では、図３（ｂ）に示すように、これら縦枠３６，３６の壁厚方向（配線溝３１の溝幅方向）に沿う幅寸法（見込寸法）を、出入口上端部材３０の幅寸法と略同寸法としている。つまり、これら縦枠３６，３６の幅寸法を間仕切壁３の壁厚と略同寸法としている。なお、これら縦枠３６，３６及び出入口上端部材３０の幅寸法を間仕切壁３の壁厚と略同寸法とした態様に代えて、間仕切壁３の壁厚よりも大としてもよい。また、これら縦枠３６，３６及び出入口上端部材３０は、木質系材料や合成樹脂系材料、金属系材料から形成されたものでもよい。
【００４４】
引戸装置４の戸パネル４０は、図２に示すように、上記した出入口５を開閉するように設けられる。引戸装置４は、この戸パネル４０と、この戸パネル４０の上端側を戸幅方向に移動自在にガイドするガイド部材４１と、戸パネル４０の戸厚方向一方側に配される収納部材４８と、この収納部材４８の上端側を位置決めする収納位置決め部材４９と、を備えている。また、図３（ａ）に示すように、ガイド部材４１の戸厚方向両側に、天井７側に固定された状態で、間仕切壁３と収納部材４８との間に開放状態の戸パネル４０を収容する収容空間３９が形成されるように、間仕切壁３の上端部（面材１１の上端部）１１ａ及び収納位置決め部材４９のそれぞれに当接される位置決め部４７，４７を設けた構成としている。また、この引戸装置４を用いた間仕切壁構造は、ガイド部材４１の戸厚方向一方側の位置決め部４７と収納位置決め部材４９とが当接され、ガイド部材４１の戸厚方向他方側の位置決め部４７と間仕切壁３の上端部１１ａとが当接された状態で、間仕切壁３と収納部材４８との間に戸パネル４０の収容空間３９が形成された構造とされている。
【００４５】
上記のような構成とすれば、ガイド部材４１の両側の位置決め部４７，４７と間仕切壁３の上端部１１ａ及び収納位置決め部材４９とを当接させることで、間仕切壁３と収納部材４８との間に戸パネル４０の収容空間３９を形成することができる。また、この収容空間３９を、間仕切壁３と収納部材４８とによって形成することができるので、壁下地や壁下地ボードを戸厚方向両側のそれぞれに施工する必要があるものと比べて、施工性を向上させることができる。また、収納部材４８の上端側を、収納位置決め部材４９によって位置決めすることができるので、施工性を向上させることができる。また、収納部材４８を一方の戸袋壁として機能させることができるので、空間を効率的に利用することができ、狭小空間に設置する場合にも好適なものとなる。なお、上記間仕切壁構造は、引戸装置４を構成する部材のうちの少なくとも一部が施工現場等において手配されて構築されたものでもよい。
【００４６】
ガイド部材４１は、図１及び図２に示すように、戸幅方向に長尺状とされている。本実施形態では、このガイド部材４１に、図３に示すように、戸パネル４０の上端側に設けられた被ガイド部４０ｂをガイドする戸幅方向に長尺なレール部４２を設けた構成としている。このような構成とすれば、このレール部４２に沿って戸パネル４０をガイドすることができる。また、両側の位置決め部４７，４７を、レール部４２の戸厚方向両側からの戸厚方向に沿う突出寸法が等しくなるようにレール部４２の戸厚方向両側から突出するように設けた構成としている。このような構成とすれば、収納部材４８と間仕切壁３との間に形成される収容空間３９の戸厚方向における中央位置に戸パネル４０を配設し易くすることができる。
【００４７】
レール部４２は、当該ガイド部材４１の略全長に亘って設けられている。このレール部４２には、戸パネル４０の被ガイド部４０ｂを受け入れるガイド溝４３が全長に亘って設けられている。本実施形態では、出入口５を開閉する一枚の戸パネル４０を設けた構成としているので、レール部４２に一本のガイド溝４３を設けた構成としている。
また、本実施形態では、このガイド溝４３を、下方側に向けて開口するように設けた構成としている。また、レール部４２は、ガイド溝４３の溝底側を区画する溝底壁部４４と、ガイド溝４３の溝幅方向両側を区画する溝側壁部４５，４５と、これら溝側壁部４５，４５の下端部から互いに向き合う方向に突出するように設けられた案内片部４６，４６と、を備えている。また、本実施形態では、このレール部４２の溝底壁部４４が天井７側の当接対象としての天井７に当接される構成とされている。
【００４８】
ガイド部材４１の両側の位置決め部４７，４７は、本実施形態では、レール部４２の全長に亘って設けられている。このような構成とすれば、位置決め部４７，４７を長手方向に間隔を空けて複数箇所に設けられた位置決め突起としたものと比べて、間仕切壁３の上端部１１ａ及び収納位置決め部材４９に安定的に当接させることができる。また、カバー等を設けずに施工後のガイド部材４１を露出させた場合にもレール部４２の全長に亘って位置決め部４７，４７が設けられているので、違和感が生じ難く、すっきりとした外観となる。
また、本実施形態では、これら位置決め部４７，４７を、上下方向に厚さ方向を沿わせて配される板状としている。また、これら位置決め部４７，４７を、天井７側の当接対象としての天井７に当接される構成としている。つまり、これら位置決め部４７，４７を、レール部４２の溝幅方向両側の上端縁から溝幅方向外側に向けて延出させるように設けた構成としている。このような構成とすれば、当該ガイド部材４１を安定的に天井７に当接させることができ、また、違和感をより生じ難くすることができる。図例では、これら位置決め部４７，４７の延出方向先端部に下方側に向けて突出する突部を設けた例を示している。
【００４９】
これら位置決め部４７，４７に間仕切壁３の上端部１１ａ及び収納位置決め部材４９が当接されて収納部材４８と間仕切壁３との間に形成される収容空間３９の戸厚方向に沿う寸法は、戸パネル４０の戸厚よりも大とされている。この収容空間３９の戸厚方向に沿う寸法は、戸パネル４０の戸厚や、戸パネル４０の戸厚方向両側に要するクリアランス等に応じて適宜の寸法としてもよい。
また、ガイド部材４１の長さ寸法は、収容空間３９に収容された全開位置と出入口５を閉鎖する閉鎖位置とを移動される戸パネル４０のガイドが可能なように適宜の寸法とすればよい。図例では、このガイド部材４１の長さ寸法を、上記した間仕切壁３を構成する間仕切パネル１０の壁幅方向に沿う寸法と出入口上端部材３０の壁幅方向に沿う寸法とを足し合わせた寸法と略同寸法とした例を示している。また、図３（ｂ）に示すように、ガイド部材４１の一方の位置決め部４７に、上記した出入口上端部材３０の一方の溝側壁部３２が当接される構成としている。
このガイド部材４１は、固定対象としての天井下地に適宜の止具によって固定されるものでもよい。この場合、溝底壁部４４や位置決め部４７，４７の適所に、止具が挿通される挿通孔を設けた構成としてもよい。また、このガイド部材４１は、金属系材料等から形成されたものでもよい。
【００５０】
戸パネル４０は、上下方向に長尺な略矩形平板状とされている。本実施形態では、出入口５を開閉する一枚の戸パネル４０を設けた構成としている。この戸パネル４０の上下方向に沿う戸高寸法及び戸幅寸法は、出入口５の閉鎖が可能なように、適宜の寸法とされている。本実施形態では、この戸パネル４０の戸幅寸法を、図２に示すように、全開位置において戸先側端部が出入口５側に突出しない寸法としている。図例では、全開位置において戸パネル４０の戸先側端部と出入口５の戸尻側を区画する縦枠３６とが戸厚方向に重なり合う構成とした例を示している。また、図例では、この戸パネル４０の戸幅寸法を、上記した間仕切パネル１０（壁下地ユニット１２）の壁幅方向に沿う寸法と概ね同寸法とした例を示している。
また、この戸パネル４０の戸先側端部には、適宜の手掛部４０ａが設けられている。このような手掛部４０ａとしては、バー状とされたものでもよく、凹所状とされたものでもよい。
【００５１】
この戸パネル４０の上端部に設けられた被ガイド部４０ｂは、ガイド部材４１のレール部４２に吊下支持されるランナーとされている。つまり、本実施形態では、戸パネル４０は、上吊型で建て付けられる構成とされている。この被ガイド部４０ｂには、レール部４２のガイド溝４３に挿入され、案内片部４６，４６上を走行する転動体が設けられている。
また、被ガイド部４０ｂは、戸パネル４０の上端部の戸幅方向両端部のそれぞれに設けられている。なお、戸パネル４０の下端部に、戸パネル４０の下端側をガイドするガイド部材のガイドピン等が挿入（遊挿）される凹溝を設けた構成としてもよい。
また、出入口５を開閉する一枚の戸パネル４０を設けた態様に代えて、出入口５を開閉する複数枚の戸パネル４０を戸厚方向に並列状に設けた構成としてもよい。この場合は、ガイド部材４１のレール部４２に戸パネル４０の枚数に応じた複数本のガイド溝４３を設けた構成としてもよい。また、戸パネル４０を上吊型で建て付けられる構成に代えて、下荷重型で建て付けられる構成としてもよい。この場合は、戸パネル４０の下端側に床６等の走行対象を走行する戸車を設けたり、上端部の被ガイド部４０ｂやガイド部材４１のレール部４２を変形したりしてもよい。
【００５２】
収納部材４８は、図１及び図３に示すように、収納奥行方向奥側を区画する背板部の背面４８ａが戸パネル４０の収容空間３９の内側面を構成するように設置される。つまり、この収納部材４８は、収納奥行方向を戸パネル４０の戸厚方向に沿わせて配設される構成とされている。また、この収納部材４８の背面４８ａと、間仕切壁３を構成する間仕切パネル１０の壁厚方向一方側の壁表面１０ａと、によって収容空間３９の戸厚方向両側の内側面が構成される。また、戸パネル４０の戸尻側端面が対面される収容空間３９の奥側面は、躯体壁８やガイド部材４１に対して直交状に配される他の間仕切壁３の壁厚方向一方側面によって構成されたものでもよい。また、この収容空間３９の奥側面等の適所に、戸パネル４０の戸尻側端面に当接される適宜の緩衝部材を設けた構成としてもよい。
また、収納部材４８には、収納奥行方向手前側に向けて開口する適宜の収納部や抽斗、机部等が設けられている。図例では、収納部材４８に、収納部を開閉する開き戸を設けた例を示している。
この収納部材４８の収納奥行方向に沿う寸法は、収納部材４８に収納される被収納物の種類や用途等に応じて適宜の寸法としてもよい。
【００５３】
また、この収納部材４８の戸幅方向に沿う寸法（収納間口方向に沿う寸法）は、戸パネル４０の戸幅寸法に応じて適宜の寸法としてもよい。本実施形態では、この収納部材４８の戸幅方向に沿う寸法を、全開位置とされた戸パネル４０の戸先側端部の手掛部４０ａを露出させるように、戸パネル４０の戸幅寸法よりも小としている。このような構成とすれば、収納部材４８側から戸パネル４０を開閉させる際における操作性を向上させることができる。なお、このような態様に代えて、収納部材４８の戸幅方向に沿う寸法を、戸パネル４０の戸幅寸法と略同寸法としてもよい。この場合は、戸パネル４０を収容空間３９から引出可能なように、戸パネル４０の戸先側端部に適宜の手掛部を設けた構成としてもよい。
また、この収納部材４８の高さ寸法（上下方向に沿う寸法）は、戸パネル４０の戸高寸法と概ね同寸法とされている。本実施形態では、収納部材４８の高さ寸法を戸パネル４０の戸高寸法よりも小としている。
【００５４】
この収納部材４８の上端側を位置決めする収納位置決め部材４９は、収納部材４８の上端部の後端側（背面４８ａ側）に位置するように設けられている。
本実施形態では、この収納位置決め部材４９は、下方側に向けて開口する受入溝５９ｄを設けた戸幅方向に長尺状のレール状部材５９を備えている。また、収納位置決め部材４９は、収納部材４８の上端部に対して上下に昇降自在とされ、受入溝５９ｄの溝底を構成する溝底壁部５９ａに突き当てられる突当部材を構成する付勢突当部材５２及び固定突当部材５７を備えている。このような構成とすれば、長尺状のレール状部材５９とガイド部材４１の位置決め部４７とを安定的に当接させることができる。また、レール状部材５９の受入溝５９ｄの溝底壁部５９ａに付勢突当部材５２及び固定突当部材５７を突き当てることで、収納部材４８の転倒を抑制することができる。また、付勢突当部材５２及び固定突当部材５７が上下に昇降自在とされているので、レール状部材５９に対して降下させた状態で、レール状部材５９に対する固定及び取り外しを容易に行うことができる。
【００５５】
レール状部材５９は、上記した壁下地ユニット１２の上端側を位置決めするレール状部材２９と概ね同様の構成とされている。つまり、レール状部材５９は、溝底を構成する溝底壁部５９ａと、この溝底壁部５９ａの戸厚方向一方側から下方側に向けて突出する第１溝壁部５９ｂと、溝底壁部５９ａの戸厚方向他方側から下方側に向けて突出する第２溝壁部５９ｃと、を備えている。
また、上記同様、第１溝壁部５９ｂの溝底壁部５９ａからの突出寸法を、第２溝壁部５９ｃの溝底壁部５９ａからの突出寸法よりも小としている。また、溝底壁部５９ａに、当該レール状部材５９を固定対象としての天井下地に固定するねじや釘等の止具が挿通される挿通孔を設けた構成としてもよい。なお、このレール状部材５９と上記した壁下地ユニット１２のレール状部材２９とは、長手方向に見た形状が同寸同形状とされた共通の部材の長さを切断等によって調整して形成されたものでもよい。
【００５６】
このレール状部材５９の一方側の溝壁部を構成する第２溝壁部５９ｃの外側面がガイド部材４１の収納部材４８側の位置決め部４７に当接される被当接部を構成する。
本実施形態では、付勢突当部材５２及び固定突当部材５７を、受入溝５９ｄの溝底壁部５９ａに突き当てられた状態で、位置決め部４７に当接される第２溝壁部５９ｃと収納部材４８の背面４８ａとが戸厚方向で一致した位置となるように設けた構成としている。このような構成とすれば、付勢突当部材５２及び固定突当部材５７をレール状部材５９の受入溝５９ｄの溝底壁部５９ａに突き当てれば、収納部材４８の背面４８ａがレール状部材５９の第２溝壁部５９ｃの外側面と戸厚方向で一致した位置となる。これにより、収容空間３９の内側面を構成する収納部材４８の背面４８ａを適切な位置に容易に位置付けることができる。
【００５７】
また、本実施形態では、付勢突当部材５２及び固定突当部材５７を収納部材４８の上端部に対して上下に昇降自在に保持する保持部材５０を収納部材４８の上端部に設けた構成としている。また、この保持部材５０並びにこれに保持された付勢突当部材５２及び固定突当部材５７を、上記した壁下地ユニット１２の上横桟２０並びにこれに保持された付勢突当部材２２及び固定突当部材２７と概ね同様の構成としている。つまり、保持部材５０には、複数本の配線溝５１，５１が設けられている。また、保持部材５０には、付勢突当部材５２の被保持部５４が挿通される保持孔及び固定突当部材５７の雄ねじ部５７ａがねじ合わされる雌ねじ孔が設けられている。本実施形態では、この保持部材５０を、その戸パネル４０側の溝側壁部の外側面が収納部材４８の背面４８ａと略同一平面状となるように収納部材４８の上端面４８ｂに固定した構成としている。この保持部材５０は、適宜の止具によって収納部材４８に固定されるものでもよい。
【００５８】
また、付勢突当部材５２には、上記同様の突当部５３、被保持部５４、付勢部材５６及び図示省略の抜止部を構成するナットが設けられている。また、固定突当部材５７には、上記同様の突当部５７ｂ、雄ねじ部５７ａ及びナット５８が設けられている。収納部材４８の上端部には、付勢突当部材５２のナット及び被保持部５４の下端部並びに固定突当部材５７の雄ねじ部５７ａの下端部を受け入れる凹所が設けられている。なお、収納部材４８の上端部に、固定突当部材５７の雄ねじ部５７ａがねじ合わされる雌ねじ部を設けた構成としてもよい。つまり、固定突当部材５７の雄ねじ部５７ａを、保持部材５０を収納部材４８に固定する止具としても機能させるようにしてもよい。
【００５９】
また、保持部材５０と上記した壁下地ユニット１２の上横桟２０とは、長手方向に見た形状が同寸同形状とされた共通の部材の長さを切断等によって調整して形成されたものでもよい。また、収納部材４８の上端側の付勢突当部材５２及び固定突当部材５７と壁下地ユニット１２の上端側の付勢突当部材２２及び固定突当部材２７とを、共通部材としてもよい。また、図例では、戸パネル４０の収容空間３９を形成しない躯体壁８に沿わせられた他の収納部材４８，４８の上端側にも同様な収納位置決め部材４９，４９を設けた例を示している。
【００６０】
上記構成とされた引戸装置４は、以下のようにして設置するようにしてもよい。まず、間仕切壁３の上端部１１ａに、ガイド部材４１の間仕切壁３側の位置決め部４７を当接させてガイド部材４１を天井７側に固定する。また、このガイド部材４１のレール部４２に戸パネル４０を建て付ける。また、ガイド部材４１の収納部材４８側の位置決め部４７に、レール状部材５９の第２溝壁部５９ｃを当接させてレール状部材５９を天井７側に固定する。また、このレール状部材５９の受入溝５９ｄに、収納部材４８の上端側に設けられた付勢突当部材５２及び固定突当部材５７の突当部５３，５７ｂを差し入れて収納部材４８を設置するようにしてもよい。
【００６１】
なお、上記設置手順は、一例に過ぎず、種々の変形が可能である。例えば、上記のような態様に代えて、ガイド部材４１を設置し、次いで、その両側に間仕切壁３及びレール状部材５９を設置するような態様としてもよく、その他、種々の変形が可能である。
また、収納部材４８の上端側を位置決めする収納位置決め部材４９としては、上記のようなレール状部材５９並びに付勢突当部材５２及び固定突当部材５７を有した態様に限られず、その他、種々の変形が可能である。
また、上記した例では、戸パネル４０によって開閉される出入口５を区画する部材及び戸パネル４０が沿わせられる間仕切壁３を構成する壁下地ユニット１２を、壁下地装置２が備えるものとした例を示しているが、このような態様に限られない。本実施形態に係る引戸装置４の戸パネル４０が沿わせられる間仕切壁や戸パネル４０によって開閉される出入口としては、種々の構成とされたものでもよい。また、本実施形態に係る引戸装置４の各部材及び各部の構成は、上記したような構成に限られず、その他、種々の変形が可能である。
【符号の説明】
【００６２】
４      引戸装置
３９    収容空間
４０    戸パネル
４０ｂ  被ガイド部
４１    ガイド部材
４２    レール部
４７    位置決め部
４８    収納部材
４８ａ  背面
４９    収納位置決め部材
５２    付勢突当部材（突当部材）
５７    固定突当部材（突当部材）
５９    レール状部材
５９ａ  溝底壁部（溝底）
５９ｃ  第２溝壁部（被当接部）
５９ｄ  受入溝
３      間仕切壁
７      天井
【図１】
2020070587.tif 000003
【図２】
2020070587.tif 000004
【図３】
2020070587.tif 000005
【図４】
2020070587.tif 000006
【図５】
2020070587.tif 000007